(57)【特許請求の範囲】
【請求項１】
燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の所定時間だけは前記燃焼用空気の量を通常時よりも少なくして強制的に燃料の混合比率を高くすると共に前記炎形成部からの混合ガスの噴出速度を抑制する制御装置を備えたことを特徴とする液体燃料燃焼装置。
【請求項２】
燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の最初の所定時間だけは前記燃焼用空気の量を通常の燃焼時よりも少なくして強制的に燃料の混合比率を高くすると共に前記炎形成部からの混合ガスの噴出速度を抑制し、前記所定時間経過後に燃料の混合比率を通常燃焼時の混合比率に徐々に近づけるように燃焼用空気の量を増大させる制御装置を備えたことを特徴とする液体燃料燃焼装置。
【請求項３】
制御装置は段階的若しくはリニアに徐々に空気量を増大させることを特徴とする請求項２に記載の液体燃料燃焼装置。
【請求項４】
制御装置は点火動作の開始から一定時間遅延して対流用送風機を運転させることを特徴とする請求項２乃至３の何れかに記載の液体燃料燃焼装置。
【請求項５】
空気量を少なくする所定時間よりも対流用送風機の運転を遅延させる一定時間を短くしたことを特徴とする請求項４に記載の液体燃料燃焼装置。
【請求項６】
燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の最初の所定時間だけは前記燃焼用空気の量を通常の燃焼時よりも少なくして強制的に燃料の混合比率を高くし、前記所定時間経過後に燃料の混合比率を通常燃焼時の混合比率に徐々に近づけるように燃焼用空気の量を増大させる減臭制御装置及びその指示手段を備えたことを特徴とする液体燃料燃焼装置。
【請求項７】
燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、燃焼用送風機を駆動してから燃料供給装置を駆動し燃料の混合比率が安定するまでの点火動作モードを、燃料の混合比率が通常燃焼時の混合比率よりも高い第１のモードと、混合比率を第１のモードの混合比率から通常燃焼時の混合比率に徐々に近づける第２のモードと、混合比率を通常の混合比率とする通常モードとで構成したことを特徴とする液体燃料燃焼装置。
【請求項８】
液体燃料を気化する気化器と、気化器に液体燃料を供給する燃料供給装置と、気化器に燃焼用空気を供給する燃焼用送風機と、気化器で気化された気体燃料と燃焼用空気との混合ガスが供給されて点火装置で点火され炎を形成する炎形成部と、燃料供給装置、燃焼用送風機及び点火装置の動作を制御する制御装置とを備えた液体燃料燃焼装置において、制御装置は、燃焼用送風機を駆動してから燃料供給装置を駆動し燃料の混合比率が安定するまでの点火動作期間における動作制御として、燃料供給装置を駆動してから第１の所定時間を燃料の混合比率が通常燃焼時の混合比率よりも高い第１のモードとし、その後の第２の所定時間を混合比率が第１のモードの混合比率よりも高く通常燃焼時の混合比率よりも低い第２の混合比率とする第２のモードとし、続いて通常燃焼時の混合比率に安定させる通常モードとすることを特徴とする液体燃料燃焼装置。
【発明の詳細な説明】
【０００１】
【発明の属する技術分野】
本発明は、液体燃料を気化器で気化して燃焼させる石油ファンヒータ、強制給排気式の温風暖房機等の液体燃料燃焼装置であって、特に燃焼装置の点火時の臭い抑制制御の改良に関する。
【０００２】
【従来の技術】
従来の液体燃料燃焼装置の点火動作の制御としては、特開昭５７−４７１２６号公報に開示されたように風量（空気量）に応じた液体燃料供給量（燃料量）を供給するようにしたものや、特開昭６２−５６７０７号公報に開示されたように空気量と燃料量とがバランスされて混合された燃焼量（空燃比）として弱や微弱等の低い状態で緩やかに点火させて確実に着火させるようにすることが主流であった。また、点火時における点火性を良くするために、燃料量（具体的には強燃焼や中燃焼の燃焼量）を多くするものとして、例えば特開平２−２３８２５１号公報に開示されたものがある。これらに開示されたものは、何れも空気量と燃料量とをバランスした状態で混合させた燃焼量でもって点火動作を行わせている。
【０００３】
【発明が解決しようとする課題】
しかしながら、この点火時にも混合ガスの未燃分（以下これを未燃ガスという）が発生しており、この未燃ガスが液体燃料燃焼装置の機体外に放出されて臭いがすることがわかっている。また、点火時において点火装置としてのイグナイタがスパークして着火のための火種ができてからバーナの炎形成部としてのバーナ部の全体に火移りが完成するまでには、若干の時間（１秒未満）がかかる。この火移りが完了する時点で炎が立ち上がるが、このときに未燃ガスの発生を示すような現象として、炎が不安定な状態でちらつくことがわかった。さらに、点火動作時に対流用送風機からの送風がある場合にも、炎が乱されたり火移りしづらかったりといった着火性が悪くなるとともに、未燃ガスが発生しやすいことがわかった。
【０００４】
ここでいう未燃ガスの量は、液体燃料燃焼装置の燃焼部の構造や点火動作の制御シーケンス、具体例を挙げれば、炎形成部にあたるバーナヘッドの構造・バーナヘッドや気化部の温度・混合ガスの混合比（空燃比）・混合ガスの炎形成部からの噴出速度（スピード）・燃焼量等のいろいろな要因によって変化すると考えられる。この様々な要因の中では、混合ガスの混合比（空燃比）と混合ガスの炎形成部からの噴出速度が最も影響が大きいことがわかった。
【０００５】
そこで本発明では、点火時における炎形成部の火移り完了までの時間を短くして未燃ガスの発生を出来るだけ少なくするために、点火動作時の初期に対流用送風機を停止すると共に、混合ガスの混合比（即ち空燃比）を空気量が少ない側に強制的に固定制御して混合ガスの混合比率を高くすると同時に炎形成部からの混合ガスの噴出速度を適切に設定できるようにした液体燃料燃焼装置を提供することを目的とするものである。
【０００６】
【課題を解決するための手段】
本発明の請求項１の発明は、燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の所定時間だけは前記燃焼用空気の量を通常時よりも少なくして強制的に燃料の混合比率を高くすると共に前記炎形成部からの混合ガスの噴出速度を抑制する制御装置を備えたものである。
本発明の請求項２の発明は、燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の最初の所定時間だけは前記燃焼用空気の量を通常の燃焼時よりも少なくして強制的に燃料の混合比率を高くすると共に前記炎形成部からの混合ガスの噴出速度を抑制し、前記所定時間経過後に燃料の混合比率を通常燃焼時の混合比率に徐々に近づけるように燃焼用空気の量を増大させる制御装置を備えたものである。
請求項３の発明は、制御装置は段階的若しくはリニアに徐々に空気量を増大させるようにしたものである。
【０００７】
請求項４の発明は、制御装置は点火動作の開始から一定時間遅延して対流用送風機の運転を遅延させるようにしたものである。
【０００８】
請求項５の発明は、空気量を少なくする所定時間よりも対流用送風機を運転させる一定時間を短くしたものである。
請求項６の発明は、燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、点火動作時の最初の所定時間だけは前記燃焼用空気の量を通常の燃焼時よりも少なくして強制的に燃料の混合比率を高くすると共に前記炎形成部からの混合ガスの噴出速度を抑制し、前記所定時間経過後に燃料の混合比率を通常燃焼時の混合比率に徐々に近づけるように燃焼用空気の量を増大させる減臭制御装置及びその指示手段を備えたものである。
本発明の請求項７の発明は、燃料供給装置で供給された液体燃料を気化器で気化し、この気化ガスを燃焼用送風機からの燃焼用空気と混合し、この混合ガスに点火装置で点火して炎形成部にて燃焼させる液体燃料燃焼装置において、燃焼用送風機を駆動してから燃料供給装置を駆動し燃料の混合比率が安定するまでの点火動作モードを、燃料の混合比率が通常燃焼時の混合比率よりも高い第１のモードと、混合比率を第１のモードの混合比率から通常燃焼時の混合比率に徐々に近づける第２のモードと、混合比率を通常の混合比率とする通常モードとで構成したものである。
【０００９】
本発明の請求項８の発明は、液体燃料を気化する気化器と、気化器に液体燃料を供給する燃料供給装置と、気化器に燃焼用空気を供給する燃焼用送風機と、気化器で気化された気体燃料と燃焼用空気との混合ガスが供給されて点火装置で点火され炎を形成する炎形成部と、燃料供給装置、燃焼用送風機及び点火装置の動作を制御する制御装置とを備えた液体燃料燃焼装置において、制御装置は、燃焼用送風機を駆動してから燃料供給装置を駆動し燃料の混合比率が安定するまでの点火動作期間における動作制御として、燃料供給装置を駆動してから第１の所定時間を燃料の混合比率が通常燃焼時の混合比率よりも高い第１のモードとし、その後の第２の所定時間を混合比率が第１のモードの混合比率よりも高く通常燃焼時の混合比率よりも低い第２の混合比率とする第２のモードとし、続いて通常燃焼時の混合比率に安定させる通常モードとするものである。
【００１０】
【発明の実施の形態】
次に実施例により本発明を更に詳しく説明するが、本発明はこれらによって限定されるものではない。以下、本発明の実施例を図１乃至図５に基づいて説明する。図１は本発明の一実施例を示す液体燃料燃焼装置として石油ファンヒータの全体構成を示す概略の斜視図、図２は同じく点火装置、液体燃料供給装置、燃焼用送風機及び対流用送風機を制御する制御手段を中心とする制御装置のブロック回路図、図３は制御手段の制御動作の概略を示すフローチャート、図４は図３の点火動作シーケンスの概略を示す本発明の主要なフローチャート、図５は図４の点火動作シーケンスにおける信号の概略変化を示すタイムチャートである。
【００１１】
図１において、１は石油ファンヒータＨの本体を構成する外装ケース、２は温風を吹き出す吹出口であり、外装ケース１内におけるこの吹出口２の後方には図示しない燃焼室、燃焼用送風機並びに対流用送風機等がある。
【００１２】
尚、ここでいう燃焼室には、燃料タンクから気化器及び気化器の上部に配置した炎形成部としてのバーナヘッド（これらを総称してバーナ若しくは燃焼部という）に燃料を供給するための電磁ポンプ及び燃料吐出ノズルを含む液体燃料供給装置、点火装置としての点火プラグ（イグナイタ）、バーナヘッドに形成される炎の状態を検出する着火及び炎検出装置としてのフレームセンサ及び気化器に内蔵された気化ヒータ等で構成される燃焼装置が配置されている。
【００１３】
３は図示しない燃料タンクに対して着脱自在にセットされるカートリッジタンクを出し入れするための開閉自在な蓋体、４は後述する制御手段による石油ファンヒータＨの動作を指示するためのスイッチ等の操作手段及び液晶等の表示手段を配置した操作部としての操作パネルであって、外装ケース１の上面に設けられる。
【００１４】
ここで、石油ファンヒータＨの背面下部には操作パネル４の直下に配置した操作基板や制御基板上に搭載された制御装置Ｓや燃焼装置、燃焼用送風機並びに対流用送風機等の電機部品に電源を供給するための電源コードが設けてあり、電源コードのプラグをコンセントに差し込めば少なくとも制御装置Ｓには電源が供給されるようになっており、プラグをコンセントに差し込む操作のことを運転スイッチのオン操作と区別して電源投入という。
【００１５】
次に、点火装置、液体燃料供給装置、燃焼用送風機並びに対流用送風機を制御する制御手段１１を中心とする制御装置Ｓの概略構成を説明する。
【００１６】
Ｓは本発明の主体的構成要素である制御手段１１を中心とする制御装置であり、制御手段１１はタイマ、記憶手段としてのＲＯＭやＲＡＭを備えるマイクロコンピュータ（以下単にマイコンという）で構成されている。制御手段即ちマイコン１１は、入力信号に基づいて各種負荷の動作を制御するための制御信号を出力するもので、１２はこのマイコン１１に信号線で接続され随時書き込み可能な記憶手段としてのＥＥＰＲＯＭである。尚、図２ではＥＥＰＲＯＭ１２をマイコン１１と別体であるかの如く表現しているが、これは別体に限定されるものではなく、ＥＥＰＲＯＭをマイコン１１に組み込んでもかまわない。
【００１７】
この制御手段１１の入力側には操作パネル４に設けられた各種スイッチ１３乃至１８及び適所に設置された各種センサ１９乃至２３が接続され、制御手段１１の出力側には電気部品即ちバーナ（詳しくは気化器）に内蔵された気化ヒータ２４、点火装置としての点火プラグ（イグナイタ）２５、燃料タンクからバーナ（燃焼部）に燃料を供給するための液体燃料供給装置の一部を構成する電磁ポンプ２６、燃焼部に燃焼用空気を供給する燃焼用送風機２７及び外気を外装ケース１内に吸い込み燃焼室で発生した燃焼ガスと熱交換して吹出口２へ供給する対流用送風機２８が接続されている。
【００１８】
制御手段１１の入力側に接続される各種スイッチとしては、石油ファンヒータＨの運転の開始及び燃焼時間の延長を指示する運転入スイッチ１３、運転の停止を指示する運転切スイッチ１４、運転開始時の点火時間を短くするために停止中にも気化ヒータ２４の通電を制御して気化器を予熱して待機させる秒速点火動作を指示する秒速点火スイッチ１５、燃焼用空気取入口にセットされる燃焼空気用フィルタを掃除したとき使用者が操作して清掃の終了を制御手段１１に認識させるフィルタースイッチ１６、室温に応じて燃焼量が変化する自動燃焼モードや常時一定の燃焼量で燃焼する固定燃焼モードを選択するモード選択部や任意の室温を設定する温度設定部等で構成される温調スイッチ１７及び液晶表示部における現在時刻やタイマー運転開始時刻等時刻を設定する時刻合わせスイッチ１８がある。
【００１９】
尚、本実施例では、運転入スイッチ１３に対して点火動作モード時の最初の所定時間だけを燃焼用空気の量を通常燃焼時のそれよりも少なくして燃料の混合比率を高くしその後空気の量を徐々に通常の量に近づけるように増大させる減臭を最終目的とする制御形態（換言すれば減臭制御）を指示する制御指示手段としての機能を持たせている。この指示手段としては、運転入スイッチ１３とは別に単独で他のスイッチを設けても良いが、操作パネルのスイッチを少なくする上で兼用する方が好ましいことに加え、運転を開始するときには常時この制御形態で点火動作を行うようにした方が、液体燃料燃焼装置としての機能が充実する。
【００２０】
各種センサとしてはバーナ（詳しくは気化器）の下部に設けられバーナの温度を検出するバーナサーミスタ１９、バーナヘッドに形成される炎の状態を検出する炎検出装置としてのフレームセンサ２０、燃焼用送風機２７の回転数を検出する回転数センサ２１、燃料タンク内に貯留される灯油等の液体燃料の所定レベル以上の残り有無を検出する液面センサ２２及び図示しない吸込口近傍に設けられ外装ケース１内に吸い込んだ外気（即ち室内空気）の温度を検出する室温センサ２３がある。
【００２１】
以上の構成により図３乃至図５に基づき制御手段１１の各種動作処理について簡単に説明する。
【００２２】
まず、ステップＳ１で運転入スイッチ１３をＯＮして運転開始を指示すると、ステップＳ２で運転ランプを点灯させるか液晶表示部の運転モードの文字を表示させ、ステップＳ３で気化ヒータ（例えばシーズヒータ）２４に通電を開始し、ステップＳ４で気化器（詳しくはバーナボディ）の温度が点火動作に適した温度（例えば２５０〜２７０℃の温度帯）か否かが判断され、適温に達するまで気化ヒータ２４の通電制御が継続され、適温に達するとステップＳ５で燃焼用送風機（詳しくはバーナモータ）２７に駆動信号が供給されバーナモータ２７が回転を開始する。
【００２３】
制御手段１１では次にある時間経過後に回転数センサ２１で検出されたバーナモータの回転数が規定の回転数（ここでは後述する第1の回転数Ｒ１＝１１００ｒｐｍ）に達したか否かが判断され（ステップＳ６）、このある時間経過後に規定の回転数Ｒ１に達していなければステップＳ１４乃至Ｓ１７の動作に移行し、規定の回転数Ｒ１に達すればステップＳ７で点火動作を行い、ステップＳ８でフレームセンサ２０で検出されたフレーム電流に基づいて着火されたか否かが判断され、ステップＳ９で正常燃焼か否かが判断される。
【００２４】
着火されない若しくは正常燃焼ではないと判断された場合には、ステップＳ１８乃至Ｓ２５の動作に移行し、正常燃焼である場合にはステップＳ１０で点火プラグの点火動作（スパーク）を停止し、ステップＳ１１で気化ヒータ２４の通電を停止し、ステップＳ１２で温調スイッチ１７による設定に基づいた燃焼モード若しくは設定室温にすべく燃焼量の自動変化動作が開始される。
【００２５】
次のステップＳ１３ではフレームセンサ２０で検出されたフレーム電流に基づいて設定された燃焼量での炎の状態が正常か否かが判断され、正常であれば以下このステップＳ１２及びＳ１３の動作が繰り返され、正常でなければステップＳ２６乃至Ｓ３１の動作に移行する。
【００２６】
ステップＳ６でバーナモータの回転数が異常であることが判明したのでステップＳ１４では気化ヒータ２４の通電を停止し、ステップＳ１５で運転ランプを点滅させるか液晶表示部の運転モードの文字を点滅表示させ、ステップＳ１６で異常内容としてバーナモータの回転数異常を示す記号（例えばＥ６）を表示して異常を報知する。この場合異常が解除されるまで点火動作に移行することはない。そして、ステップＳ１７で使用者の運転切スイッチ１４及び運転入スイッチ１３の操作を経て、ステップＳ３へ復帰できる。
【００２７】
ステップＳ８若しくはステップＳ９で点火トライアル期間（例えば２３秒間）内に正常な炎を検出できない異常（これを点火ミスという）であることが判明したので、ステップＳ１８では気化ヒータ２４の通電を停止し、ステップＳ１９で運転ランプを点滅させるか液晶表示部の運転モードの文字を点滅表示させ、ステップＳ２０で異常内容として点火ミスを示す記号（例えばＥ１）を表示して異常を報知する。続いてステップＳ２１で点火プラグ２５の点火動作（スパーク）を停止し、ステップＳ２２で電磁ポンプ２６の燃料供給動作を停止し、ステップＳ２３で対流用送風機２８を、ステップＳ２４で燃焼用送風機２７をそれぞれ停止すべく駆動信号を停止して点火シーケンスを終了する。そして、ステップＳ２５で使用者の運転切スイッチ１４及び運転入スイッチ１３の操作を経て、ステップＳ３へ復帰できる。
ステップＳ１３で着火はしたが燃焼量を変化させる途中で消火した異常（これを途中消火という）であることが判明したので、ステップＳ２６では運転ランプを点滅させるか液晶表示部の運転モードの文字を点滅表示させ、ステップＳ２７で異常内容として途中消火を示す記号（例えばＥ２）を表示して異常を報知する。続いてステップＳ２８で電磁ポンプ２６の燃料供給動作を停止し、ステップＳ２９で対流用送風機２８を、ステップＳ３０で燃焼用送風機２７をそれぞれ停止すべく駆動信号を停止して燃焼量制御のシーケンスを終了する。そして、ステップＳ３１で使用者の運転切スイッチ１４及び運転入スイッチ１３の操作を経て、ステップＳ３へ復帰できる。
【００２８】
さて、次に上述のステップＳ７における点火動作について、図４に基づき更に詳細な動作を説明する。まず、ステップＳ７１で最初に点火プラグ２５の点火動作（即ちスパーク）を開始し、続くステップＳ７２で電磁ポンプ２６を点火動作特有の燃料供給量（例えば中燃焼に対応する中燃料の量）となるように駆動し、ステップＳ７３で電磁ポンプ２６が駆動されたときを起点とする時間が遅延時間としての一定時間Ａ（例えば２．１秒間）が経過したか否かが判断され、ステップＳ７４で時間Ａが経過するまでまって対流用送風機２８を通常の回転数Ｆ（例えば中燃焼に見合った回転数９６０ｒｐｍ）で駆動する駆動信号を出力する。
【００２９】
このため、通常よりも少ない量での燃焼用空気の供給開始、点火スパーク開始、燃料の供給開始の順序で動作が続けられ着火を試みる着火トライアル期間の初期には、対流用送風機２８が停止しているため、バーナヘッドに供給される燃料と燃焼用空気との混合ガスは従来よりもその噴出速度が遅くなることはもとより、この遅い速度の混合ガスに対して一定時間Ａだけは対流用の風による影響を無くすことができ、これによって着火しようとする混合ガスの適当な流れが対流用の風で乱されて不安定になることが防止され、着火トライアル期間の初期（詳しくは時間Ａ以内）で着火しやすくなった。特に従来のような着火遅れや飛び火（炎のリフティング）現象も発生しにくくなり、これら着火遅れ若しくは着火ミスや炎のリフティングに伴う未燃ガスの発生が抑制できた。
【００３０】
また、空気量を少なくする所定時間Ｂりも対流用送風機２８転させる一定時間Ａ短くしたので、後述する着火トライアル期間における第１のモード中に対流用送風機２８転されることとなり、燃焼用送風機の風だけでバーナの冷却（これをプリパージという）が行われる時間が短くなり、プリパージ効果が期待できない時間も短くなるため、結果的に未燃ガスの発生も抑制されて、より着火性能が向上できた。
【００３１】
次のステップＳ７４で電磁ポンプ２６が駆動されたときを起点とする時間が燃焼用空気の量を通常時よりも少なくする所定時間としての一定時間Ｂ（条件Ｂ≧Ａ、Ｂの期間を着火トライアル期間における第１のモードといい例えば３秒間とする）が経過したか否かが判断され、ステップＳ７６で時間Ｂが経過するまでまって燃焼用送風機２７の回転数を第1の回転数Ｒ１よりも大きく電磁ポンプ２６の供給量に見合った回転数Ｒ３（これを通常の回転数という）よりも小さい第2の回転数Ｒ２（これを第２のモードといい例えば１３５０ｒｐｍ）に上昇して一定時間Ｃ（例えば２５秒間）だけ継続駆動する。
【００３２】
このため、バーナに供給される燃料に対して空気が少なくなるように燃料の混合比率を所定時間Ｂだけ通常時よりも高い側に強制的に固定することにより、点火動作（上述の着火トライアル期間）の初期（即ち第１のモード）における風量が抑えられるため、混合ガスの噴出速度を従来のそれよりも遅くすることができ、その結果、炎形成部における炎はリフト気味で発生するのではなく、炎形成部全体に広がるようにして速やかに炎を発生させることができるようになり、炎形成部での火移りが従来の点火制御の動作よりも短時間でしかも確実に行えるようになり、この期間における未燃ガスの発生が少なくなった。
【００３３】
また、この所定時間Ｂの経過後に混合比率を通常燃焼時の混合比率に近づけるように燃焼用送風機２７の回転数を第1の回転数Ｒ１よりも大きく電磁ポンプ２６の供給量に見合った回転数Ｒ３よりも小さい第2の回転数Ｒ２（即ち着火トライアル期間における第２のモード）にして、空気の量を増大させることにより、空気過少気味でこの点火時に炎形成部に形成される炎が発生するときの音を従来よりも小さくすることができた。
【００３４】
しかも、燃焼用空気の量を段階的（若しくはリニア）に徐々に増加させるようにしたので、着火トライアル期間における炎の状態が安定するまでの間は、燃焼用空気の量を徐々に増加移行させることができるため、風量の急激な変化による炎形成部と炎そのものの急激な温度変化を抑制することができ、結果的に炎形成部の温度を徐々に上昇させることが可能となった。そして、炎の状態が不安定になりやすいままでの燃焼量が継続される時間が減り、着火トライアル期間初期におけるリフト気味な炎の生成を抑制でき、リフト気味の炎があるときに燃えないでバーナヘッドの炎孔から噴出される混合ガス、即ち未燃ガスの量をも抑制することができ、点火動作時の臭いを一段と低減でき、結果として着火を確認するまでの時間が従来よりも短くなった。
【００３５】
その後、ステップＳ７７で一定時間Ｃが経過したか否かが判断され、ステップＳ７８で燃焼用送風機２７の回転数を通常の回転数Ｒ３（これを着火トライアル期間における第３のモードとしての通常モードといい、例えば１５００ｒｐｍ）に上昇して、ステップＳ８へ移行する。
【００３６】
このように、燃焼用送風機を駆動してから燃料供給装置を駆動し燃料の混合比率が安定するまでの着火トライアル期間を、第１のモードと、第２のモードと、通常のモードとの３つで構成したことにより、トライアル期間初期（即ち第１のモード）の混合ガスの噴出速度が従来よりも遅くなり、炎形成部における火移りが従来の点火動作よりも短時間でしかも確実に行えるようになり、第1のモードにおける未燃ガスの発生量が少なくなって、いわゆる点火時の臭いが減り、従来の点火制御に比べて格段の効果があった。
【００３７】
【発明の効果】
請求項１に記載の液体燃料燃焼装置によれば、燃料に対して空気が少なくなるように燃料の混合比率を所定時間だけ通常時よりも高い側に強制的に固定することにより、点火動作時初期における風量を抑えるため混合ガスの噴出速度を遅くすることができ、その結果、炎形成部における炎はリフト気味で発生するのではなく炎形成部全体に広がるようにして発生させることができ、炎形成部での火移りが従来の点火動作よりも短時間でしかも確実に行えるようになり、この期間における未燃ガスの発生が少なくなった。
【００３８】
請求項２に記載の液体燃料燃焼装置によれば、燃料に対して空気が少なくなるように燃料の混合比率を所定時間だけ通常の燃焼時よりも高い側に強制的に固定して炎形成部における混合ガスの噴出速度を遅くし、この所定時間の経過後に混合比率を通常燃焼時の混合比率に近づけるように空気の量を増大させることにより、請求項１と同様に従来よりも火移り完了までの時間を短縮できることに加え、この点火時における炎が発生するときの音を小さくすることができ、しかも炎が安定するまでの時間をも短縮することができ、結果として着火を確認するまでの時間が短くなった。
【００３９】
請求項３に記載の燃焼装置によれば、燃焼用空気の量を段階的若しくはリニアに徐々に増加させるようにしたので、請求項２の効果に加えて、炎の状態が安定するまでの点火動作初期における燃焼用空気の量を徐々に増加移行させることができるため、風量の急激な変化による炎形成部と炎の急激な温度変化を抑制することができ、結果的に炎形成部の温度を徐々に上昇させることが可能となり、炎の状態が不安定なままで継続する時間が減り、点火動作初期時におけるリフト気味な炎の生成を抑制でき、リフト気味の炎があるときに燃えないで噴出される混合ガス即ち未燃ガスの量をも抑制することができ、点火動作時の臭いを一段と低減できた。
【００４０】
請求項４に記載の燃焼装置によれば、点火動作開始から遅延して対流用送風機を動作させることにより、請求項２の効果に加えて、点火させるときの炎形成部における混合ガスに対する風の影響をなくすことができると共に、流用送風機の風で燃焼用送風機による混合ガスの適当な流れが乱されることがなくなり、着火遅れや飛び火（炎のリフティング）現象も発生しなく若しくは発生しにくくなって、この着火遅れやリフティングに伴う未燃ガスの発生を抑制できた。
【００４１】
請求項５に記載の燃焼装置によれば、空気量を少なくする所定時間よりも対流用送風機の運転を遅延させる一定時間を短くしたので、請求項２乃至４の効果に加えて、点火開始から所定時間の間、即ち点火トライアル期間中に対流用送風機が運転されることとなり、点火動作開始初期における対流用送風機の風の悪影響をなくす一方、混合ガスの空気の量が少ない時間をより短くすることが可能となり、プリパージ効果が期待できない時間も短くなるため未燃ガスの発生も抑制されて、より着火性能が向上した。
【００４２】
請求項６に記載の液体燃料燃焼装置によれば、減臭点火の制御動作を指示する指示手段を設けたことにより、任意に減臭点火の制御を行わせることが可能となり、液体燃料燃焼装置としての着火性及び使用性が向上した。指示手段として運転開始指示手段を兼用すれば、運転開始時は常に減臭効果を期待できる点火動作が行われる。
【００４３】
請求項７及び８に記載の液体燃料燃焼装置によれば、燃焼用送風機を駆動してから燃料供給装置を駆動し燃料の混合比率が安定するまでの点火動作モードを、第１のモードと、第２のモードと、通常モードとの３つで構成したことにより、点火動作初期の混合ガスの噴出速度が従来よりも遅くなり、炎形成部における火移りが従来の点火動作よりも短時間でしかも確実に行えるようになり、この期間特に第1のモードにおける未燃ガスの発生量が少なくなって、点火時の臭いが減った。
【図面の簡単な説明】
【図１】  本発明の一実施例を示す液体燃料燃焼装置として石油ファンヒータの全体構成を示す概略の斜視図である。
【図２】  同じく点火装置、液体燃料供給装置、燃焼用送風機及び対流用送風機を制御する制御手段を中心とする制御装置のブロック回路図である。
【図３】  同じく制御手段の制御動作の概略を示すフローチャートである。
【図４】  図３の点火動作シーケンスの概略を示す本発明の主要なフローチャートである。
【図５】  図４の点火動作シーケンスにおける信号の概略変化を示すタイムチャートである。
【符号の説明】
Ｈ  石油ファンヒータ（液体燃料燃焼装置）
Ｓ  制御装置
１１   マイコン（制御手段）
２０  フレームセンサ（炎検出装置）
２４  気化ヒータ（気化器）
２５  点火プラグ（点火装置）
２６  電磁ポンプ（燃料供給装置）
２７  燃焼用送風機
２８  対流用送風機
【図１】
0003649840.tif 000002
【図２】
0003649840.tif 000003
【図３】
0003649840.tif 000004
【図４】
0003649840.tif 000005
【図５】
0003649840.tif 000006